(57)【特許請求の範囲】
【請求項１】
無線通信システムにおいて制御チャネルをモニタリングする方法であって、該方法は、
無線機器によって、ダウンリンク制御チャネルがモニタリングされるサーチスペースに対する情報を基地局から受信することと、
該無線機器によって、サブフレームの該サーチスペース内で該ダウンリンク制御チャネルをモニタリングすることと
を含み、
該受信された情報は、該サーチスペースに対して用いられる複数のＰｈｙｓｉｃａｌ  Ｒｅｓｏｕｒｃｅ  Ｂｌｏｃｋ（ＰＲＢ）対を指示する第１の情報を含み、
該ダウンリンク制御チャネルは、該サーチスペース内の少なくとも１つのＥｎｈａｎｃｅｄ  Ｃｏｎｔｒｏｌ  Ｃｈａｎｎｅｌ  Ｅｌｅｍｅｎｔ（ＥＣＣＥ）内でモニタリングされ、該少なくとも１つのＥＣＣＥの各々は、複数のＥｎｈａｎｃｅｄ  Ｒｅｓｏｕｒｃｅ  Ｅｌｅｍｅｎｔ  Ｇｒｏｕｐ（ＥＲＥＧ）を含み、
該受信された情報は、局所送信または分散送信のいずれかを指示する第２の情報をさらに含み、
該第２の情報が該局所送信を指示する場合、各ＥＣＣＥにおける該複数のＥＲＥＧは、該複数のＰＲＢ対のうちの１つにマッピングされ、
該局所送信が用いられる場合、該複数のＥＲＥＧは、複数のアンテナポートのうちの単一のアンテナポートにマッピングされ、該複数のアンテナポートの各々は、複数の無線機器のうちの１つにマッピングされ、
該第２の情報が該分散送信を指示する場合、各ＥＣＣＥにおける該複数のＥＲＥＧは、該複数のＰＲＢ対にマッピングされる、方法。
【請求項２】
前記ダウンリンク制御チャネルは、識別子に基づいて生成される復調基準信号を用いることによって復調される、請求項１に記載された方法。
【請求項３】
前記少なくとも１つのＥＣＣＥは、８個のＥＲＥＧを含む、請求項１に記載された方法。
【請求項４】
前記複数のＰＲＢ対の各々は、同じ周波数領域内で連続的である２個のＰＲＢを含む、請求項１に記載された方法。
【請求項５】
前記受信された情報は、前記ダウンリンク制御チャネルがモニタリングされるサブフレームを指示する第３の情報をさらに含む、請求項１に記載された方法。
【請求項６】
無線通信システムにおいて制御チャネルをモニタリングする無線機器であって、該無線機器は、
無線信号を送信および受信するように構成されたｒａｄｉｏ  ｆｒｅｑｕｅｎｃｙ（ＲＦ）部と、
該ＲＦ部に動作可能に結合されたプロセッサと
を含み、
該プロセッサは、
該ＲＦ部を介して、ダウンリンク制御チャネルがモニタリングされるサーチスペースに対する情報を基地局から受信することと、
該ＲＦ部を介して、サブフレームの該サーチスペース内で該ダウンリンク制御チャネルをモニタリングすることと
を行うように構成され、
該受信された情報は、該サーチスペースに対して用いられる複数のＰｈｙｓｉｃａｌ  Ｒｅｓｏｕｒｃｅ  Ｂｌｏｃｋ（ＰＲＢ）対を指示する第１の情報を含み、
該ダウンリンク制御チャネルは、該サーチスペース内の少なくとも１つのＥｎｈａｎｃｅｄ  Ｃｏｎｔｒｏｌ  Ｃｈａｎｎｅｌ  Ｅｌｅｍｅｎｔ（ＥＣＣＥ）内でモニタリングされ、該少なくとも１つのＥＣＣＥの各々は、複数のＥｎｈａｎｃｅｄ  Ｒｅｓｏｕｒｃｅ  Ｅｌｅｍｅｎｔ  Ｇｒｏｕｐ（ＥＲＥＧ）を含み、
該受信された情報は、局所送信または分散送信のいずれかを指示する第２の情報をさらに含み、
該第２の情報が該局所送信を指示する場合、各ＥＣＣＥにおける該複数のＥＲＥＧは、該複数のＰＲＢ対のうちの１つにマッピングされ、
該局所送信が用いられる場合、該複数のＥＲＥＧは、複数のアンテナポートのうちの単一のアンテナポートにマッピングされ、該複数のアンテナポートの各々は、複数の無線機器のうちの１つにマッピングされ、
該第２の情報が該分散送信を指示する場合、各ＥＣＣＥにおける該複数のＥＲＥＧは、該複数のＰＲＢ対にマッピングされる、無線機器。
【請求項７】
前記ダウンリンク制御チャネルは、識別子に基づいて生成される復調基準信号を用いることによって復調される、請求項６に記載された無線機器。
【請求項８】
前記少なくとも１つのＥＣＣＥの各々は、８個のＥＲＥＧを含む、請求項６に記載された無線機器。
【請求項９】
前記複数のＰＲＢ対の各々は、同じ周波数領域内で連続的である２個のＰＲＢを含む、請求項６に記載された無線機器。
【請求項１０】
前記受信された情報は、前記ダウンリンク制御チャネルがモニタリングされるサブフレームを指示する第３の情報をさらに含む、請求項６に記載された無線機器。
【発明の詳細な説明】
【技術分野】
【０００１】
本発明は、無線通信に関し、より詳しくは、無線通信システムにおける制御チャネルをモニタリングする方法及びそれを利用した無線機器に関する。
【背景技術】
【０００２】
３ＧＰＰ(３ｒｄＧｅｎｅｒａｔｉｏｎ Ｐａｒｔｎｅｒｓｈｉｐ Ｐｒｏｊｅｃｔ)ＴＳ(Ｔｅｃｈｎｉｃａｌ Ｓｐｅｃｉｆｉｃａｔｉｏｎ)リリース(Ｒｅｌｅａｓｅ)８に基づくＬＴＥ(ｌｏｎｇ ｔｅｒｍ ｅｖｏｌｕｔｉｏｎ)は、有力な次世代移動通信標準である。最近、多重搬送波をサポートする３ＧＰＰ ＴＳリリース１０に基づくＬＴＡ−Ａ(ＬＴＥ−ａｄｖａｎｃｅｄ)の標準化が進行中である。
【０００３】
３ＧＰＰ ＴＳ ３６.２１１ Ｖ１０.２.０(２０１１−０６)“Ｅｖｏｌｖｅｄ Ｕｎｉｖｅｒｓａｌ Ｔｅｒｒｅｓｔｒｉａｌ Ｒａｄｉｏ Ａｃｃｅｓｓ(Ｅ−ＵＴＲＡ)；ＰｈｙｓｉｃａｌＣｈａｎｎｅｌｓ ａｎｄ Ｍｏｄｕｌａｔｉｏｎ(Ｒｅｌｅａｓｅ １０)”に開示されているように、３ＧＰＰ ＬＴＥ/ＬＴＥ−Ａにおける物理チャネルは、ダウンリンクチャネルであるＰＤＳＣＨ(ＰｈｙｓｉｃａｌＤｏｗｎｌｉｎｋ Ｓｈａｒｅｄ Ｃｈａｎｎｅｌ)及びＰＤＣＣＨ(Ｐｈｙｓｉｃａｌ Ｄｏｗｎｌｉｎｋ Ｃｏｎｔｒｏｌ Ｃｈａｎｎｅｌ)と、アップリンクチャネルであるＰＵＳＣＨ(ＰｈｙｓｉｃａｌＵｐｌｉｎｋ Ｓｈａｒｅｄ Ｃｈａｎｎｅｌ)及びＰＵＣＣＨ(Ｐｈｙｓｉｃａｌ Ｕｐｌｉｎｋ Ｃｏｎｔｒｏｌ Ｃｈａｎｎｅｌ)とに分けられる。
【０００４】
増加するデータトラフィックに備えるために、移動通信システムの送信容量を増加させる多様な技術が導入されている。例えば、複数のアンテナを使用するＭＩＭＯ(Ｍｕｌｔｉｐｌｅ Ｉｎｐｕｔ Ｍｕｌｔｉｐｌｅ Ｏｕｔｐｕｔ)技術、複数のセルをサポートするキャリアアグリゲーション(ｃａｒｒｉｅｒ ａｇｇｒｅｇａｔｉｏｎ)技術などが導入されている。
【０００５】
３ＧＰＰ ＬＴＥ/ＬＴＥ−Ａで設計された制御チャネルは、多様な制御情報を伝送する。新たな技術が導入されるにつれて、制御チャネルの容量を増加させると共に、スケジューリングの柔軟性を向上させることが要求される。
【発明の概要】
【発明が解決しようとする課題】
【０００６】
本発明は、ダウンリンク制御チャネルをモニタリングする方法及びそれを利用した無線機器を提供する。
【課題を解決するための手段】
【０００７】
一態様において、無線通信システムにおける制御チャネルモニタリング方法が提供される。前記方法は、無線機器が少なくとも一つのＰＲＢ(Ｐｈｙｓｉｃａｌ Ｒｅｓｏｕｒｃｅ Ｂｌｏｃｋ)対により定義されるサーチスペース内でダウンリンク制御チャネルをモニタリングするステップ、及び前記無線機器が前記ダウンリンク制御チャネル上でダウンリンクグラント又はアップリンクグラントを受信するステップを含む。前記少なくとも一つのＰＲＢ対の各々は、複数のＥＲＥＧ(Ｅｎｈａｎｃｅｄ Ｒｅｓｏｕｒｃｅ Ｅｌｅｍｅｎｔ Ｇｒｏｕｐ)を含み、前記サーチスペースは、複数のＥＣＣＥ(Ｅｎｈａｎｃｅｄ Ｃｏｎｔｒｏｌ Ｃｈａｎｎｅｌ Ｅｌｅｍｅｎｔ)を含む。ＥＣＣＥ−ｔｏ−ＥＲＥＧマッピング方式によって、前記複数のＥＣＣＥの各々は、少なくとも一つのＥＲＥＧにマッピングされ、前記複数のＥＣＣＥに対するインデキシングは、前記ＥＣＣＥ−ｔｏ−ＥＲＥＧマッピング方式によって変わる。
【０００８】
前記ＥＣＣＥ−ｔｏ−ＥＲＥＧマッピング方式は、局所送信及び分散送信のうち一つであり、前記局所送信において、前記一つのＥＣＣＥを構成するＥＲＥＧは、一つのＰＲＢ対から送信され、前記分散送信において、一つのＥＣＣＥを構成するＥＲＥＧは、複数のＰＲＢ対にわたって送信される。
【０００９】
前記局所送信において、前記複数のＥＣＣＥのインデックスは、一つのＰＲＢ対内で連続的である。
【００１０】
他の態様において、無線通信システムにおける無線機器は、無線信号を送信及び受信するＲＦ（ｒａｄｉｏ  ｆｒｅｑｕｅｎｃｙ）部、及び前記ＲＦ部と連結されるプロセッサを含む。前記プロセッサは、少なくとも一つのＰＲＢ（Ｐｈｙｓｉｃａｌ  Ｒｅｓｏｕｒｃｅ  Ｂｌｏｃｋ）対により定義されるサーチスペース内でダウンリンク制御チャネルをモニタリングし、及び、前記ダウンリンク制御チャネル上でダウンリンクグラント又はアップリンクグラントを受信する。
例えば、本願発明は以下の項目を提供する。
（項目１）
無線通信システムにおける制御チャネルモニタリング方法において、
無線機器が少なくとも一つのＰＲＢ（Ｐｈｙｓｉｃａｌ  Ｒｅｓｏｕｒｃｅ  Ｂｌｏｃｋ）対により定義されるサーチスペース内でダウンリンク制御チャネルをモニタリングするステップ；及び、
前記無線機器が前記ダウンリンク制御チャネル上でダウンリンクグラント又はアップリンクグラントを受信するステップ；を含み、
前記少なくとも一つのＰＲＢ対の各々は、複数のＥＲＥＧ（Ｅｎｈａｎｃｅｄ  Ｒｅｓｏｕｒｃｅ  Ｅｌｅｍｅｎｔ  Ｇｒｏｕｐ）を含み、
前記サーチスペースは、複数のＥＣＣＥ（Ｅｎｈａｎｃｅｄ  Ｃｏｎｔｒｏｌ  Ｃｈａｎｎｅｌ  Ｅｌｅｍｅｎｔ）を含み、
ＥＣＣＥ−ｔｏ−ＥＲＥＧマッピング方式によって、前記複数のＥＣＣＥの各々は、少なくとも一つのＥＲＥＧにマッピングされ、
前記複数のＥＣＣＥに対するインデキシングは、前記ＥＣＣＥ−ｔｏ−ＥＲＥＧマッピング方式によって変わることを特徴とする制御チャネルモニタリング方法。
（項目２）
前記ＥＣＣＥ−ｔｏ−ＥＲＥＧマッピング方式は、局所送信及び分散送信のうち一つであり、前記局所送信において、前記一つのＥＣＣＥを構成するＥＲＥＧは、一つのＰＲＢ対から送信され、前記分散送信において、一つのＥＣＣＥを構成するＥＲＥＧは、複数のＰＲＢ対にわたって送信されることを特徴とする項目１に記載の制御チャネルモニタリング方法。
（項目３）
前記局所送信において、前記複数のＥＣＣＥのインデックスは、一つのＰＲＢ対内で連続的であることを特徴とする項目２に記載の制御チャネルモニタリング方法。
（項目４）
前記少なくとも一つのＰＲＢ対は、同じ周波数領域で連続する２個のＰＲＢを含むことを特徴とする項目１に記載の制御チャネルモニタリング方法。
（項目５）
前記ダウンリンク制御チャネルのモニタリングは、一つ又はそれ以上のＥＣＣＥを有する集約レベル単位に実行されることを特徴とする項目１に記載の制御チャネルモニタリング方法。
（項目６）
集約レベルＬは、連続するインデックスを有するＬ個のＥＣＣＥを含むことを特徴とする項目５に記載の制御チャネルモニタリング方法。
（項目７）
前記集約レベルＬの開始点は、Ｌの倍数であるインデックスを有するＥＣＣＥであることを特徴とする項目６に記載の制御チャネルモニタリング方法。
（項目８）
無線通信システムにおける無線機器において、
無線信号を送信及び受信するＲＦ（ｒａｄｉｏ  ｆｒｅｑｕｅｎｃｙ）部；及び、
前記ＲＦ部と連結されるプロセッサ；を含み、前記プロセッサは、
少なくとも一つのＰＲＢ（Ｐｈｙｓｉｃａｌ  Ｒｅｓｏｕｒｃｅ  Ｂｌｏｃｋ）対により定義されるサーチスペース内でダウンリンク制御チャネルをモニタリングし、及び、
前記ダウンリンク制御チャネル上でダウンリンクグラント又はアップリンクグラントを受信し、
前記少なくとも一つのＰＲＢ対の各々は、複数のＥＲＥＧ（Ｅｎｈａｎｃｅｄ  Ｒｅｓｏｕｒｃｅ  Ｅｌｅｍｅｎｔ  Ｇｒｏｕｐ）を含み、
前記サーチスペースは、複数のＥＣＣＥ（Ｅｎｈａｎｃｅｄ  Ｃｏｎｔｒｏｌ  Ｃｈａｎｎｅｌ  Ｅｌｅｍｅｎｔ）を含み、
ＥＣＣＥ−ｔｏ−ＥＲＥＧマッピング方式によって、前記複数のＥＣＣＥの各々は、少なくとも一つのＥＲＥＧにマッピングされ、
前記複数のＥＣＣＥに対するインデキシングは、前記ＥＣＣＥ−ｔｏ−ＥＲＥＧマッピング方式によって変わることを特徴とする無線機器。
（項目９）
前記ＥＣＣＥ−ｔｏ−ＥＲＥＧマッピング方式は、局所送信及び分散送信のうち一つであり、前記局所送信において、前記一つのＥＣＣＥを構成するＥＲＥＧは、一つのＰＲＢ対から送信され、前記分散送信において、一つのＥＣＣＥを構成するＥＲＥＧは、複数のＰＲＢ対にわたって送信されることを特徴とする項目８に記載の無線機器。
（項目１０）
前記局所送信において、前記複数のＥＣＣＥのインデックスは、一つのＰＲＢ対内で連続的であることを特徴とする項目９に記載の無線機器。
【発明の効果】
【００１１】
ブラインドデコーディングが実行されるダウンリンク制御チャネルを無線リソースでマッピングさせるための技法が提案される。
【図面の簡単な説明】
【００１２】
【図１】３ＧＰＰ ＬＴＥ−Ａにおけるダウンリンク無線フレームの構造を示す。
【図２】ＰＤＣＣＨの構成を示すブロック図である。
【図３】ＰＤＣＣＨのモニタリングを示す例示図である。
【図４】３ＧＰＰ ＬＴＥのＤＬサブフレームで基準信号と制御チャネルが配置される例を示す。
【図５】ＥＰＤＣＣＨを有するサブフレームの一例である。
【図６】本発明の一実施例に係るＰＲＢ対の構造を示す。
【図７】局所送信と分散送信の例を示す。
【図８】サブセットの一例を示す。
【図９】無線機器が各サブセットでブラインドデコーディングを実行する一例を示す。
【図１０】ブラインドデコーディングの一例を示す。
【図１１】２個の無線機器のＥＰＤＣＣＨモニタリングの例を示す。
【図１２】及び
【図１３】互いに異なるアンテナポートに互いに異なるサブセットを利用して集約レベルを構成する例である。
【図１４】集約レベルを構成する例を示す。
【図１５】ＰＲＢ対に構成されるサブセットを示す。
【図１６】図１５のサブセットに論理的インデックスを付与した例である。
【図１７】図１６の論理的インデックスに循環シフトを適用した例である。
【図１８】局所送信が設定された場合、集約レベルを構成する方法の一例を示す。
【図１９】分散送信が設定された場合、集約レベルを構成する方法の一例を示す。
【図２０】図１６の論理的インデックスに循環シフトを適用した他の例である。
【図２１】図１６の論理的インデックスに循環シフトを適用した他の例である。
【図２２】図２０の論理的インデックスに基づいて局所送信が設定された場合、集約レベルを構成する方法の一例を示す。
【図２３】図２１の論理的インデックスに基づいて局所送信が設定された場合、集約レベルを構成する方法の一例を示す。
【図２４】図２０の論理的インデックスに基づいて分散送信が設定された場合、集約レベルを構成する方法の一例を示す。
【図２５】図２１の論理的インデックスに基づいて分散送信が設定された場合、集約レベルを構成する方法の一例を示す。
【図２６】図２０の論理的インデックスに基づいて分散送信が設定された場合、集約レベルを構成する方法の他の例を示す。
【図２７】図２１の論理的インデックスに基づいて分散送信が設定された場合、集約レベルを構成する方法の他の例を示す。
【図２８】分散送信が設定された場合、集約レベルを構成する方法の他の例を示す。
【図２９】局所送信が設定された場合、集約レベルを構成する方法の例を示す。
【図３０】ＥＰＤＣＣＨサーチスペースの開始点を設定する一例を示す。
【図３１】分散割当(ｄｉｓｔｒｉｂｕｔｅｄ ａｌｌｏｃａｔｉｏｎ)の一例を示す。
【図３２】局所割当(ｌｏｃａｌｉｚｅｄ ａｌｌｏｃａｔｉｏｎ)の一例を示す。
【図３３】局所ＥＣＣＥから分散ＥＣＣＥを構成する一例を示す。
【図３４】本発明の実施例が具現される無線通信システムを示すブロック図である。
【発明を実施するための形態】
【００１３】
無線機器(ｗｉｒｅｌｅｓｓｄｅｖｉｃｅ)は、固定されてもよいし、移動性を有してもよく、ＵＥ(Ｕｓｅｒ Ｅｑｕｉｐｍｅｎｔ)、ＭＳ(ｍｏｂｉｌｅ ｓｔａｔｉｏｎ)、ＭＴ(ｍｏｂｉｌｅ ｔｅｒｍｉｎａｌ)、ＵＴ(ｕｓｅｒｔｅｒｍｉｎａｌ)、ＳＳ(ｓｕｂｓｃｒｉｂｅｒ ｓｔａｔｉｏｎ)、ＰＤＡ(ｐｅｒｓｏｎａｌ ｄｉｇｉｔａｌ ａｓｓｉｓｔａｎｔ)、無線モデム(ｗｉｒｅｌｅｓｓｍｏｄｅｍ)、携帯機器(ｈａｎｄｈｅｌｄ ｄｅｖｉｃｅ)等、他の用語で呼ばれることもある。または、無線機器は、ＭＴＣ(Ｍａｃｈｉｎｅ−ＴｙｐｅＣｏｍｍｕｎｉｃａｔｉｏｎ)機器のようにデータ通信のみをサポートする機器であってもよい。
【００１４】
基地局(ｂａｓｅｓｔａｔｉｏｎ、ＢＳ)は、一般的に無線機器と通信する固定局(ｆｉｘｅｄ ｓｔａｔｉｏｎ)を意味し、ｅＮＢ(ｅｖｏｌｖｅｄ−ＮｏｄｅＢ)、ＢＴＳ(Ｂａｓｅ ＴｒａｎｓｃｅｉｖｅｒＳｙｓｔｅｍ)、アクセスポイント(Ａｃｃｅｓｓ Ｐｏｉｎｔ)等、他の用語で呼ばれることもある。
【００１５】
以下、３ＧＰＰ(３ｒｄＧｅｎｅｒａｔｉｏｎ Ｐａｒｔｎｅｒｓｈｉｐ Ｐｒｏｊｅｃｔ)ＴＳ(Ｔｅｃｈｎｉｃａｌ Ｓｐｅｃｉｆｉｃａｔｉｏｎ)リリース(Ｒｅｌｅａｓｅ)８に基づく３ＧＰＰ ＬＴＥ(ｌｏｎｇ ｔｅｒｍ ｅｖｏｌｕｔｉｏｎ)又は３ＧＰＰＴＳリリース１０に基づく３ＧＰＰ ＬＴＥ−Ａに基づいて本発明が適用されるものを記述する。これは例示に過ぎず、本発明は、多様な無線通信ネットワークに適用されることができる。以下、ＬＴＥは、ＬＴＥ及び/又はＬＴＥ−Ａを含む。
【００１６】
無線機器は、複数のサービングセルによりサービングされることができる。各サービングセルは、ＤＬ(ｄｏｗｎｌｉｎｋ)ＣＣ(ｃｏｍｐｏｎｅｎｔ ｃａｒｒｉｅｒ)又はＤＬ ＣＣとＵＬ(ｕｐｌｉｎｋ)ＣＣとの対で定義されることができる。
【００１７】
サービングセルは、１次セル(ｐｒｉｍａｒｙ ｃｅｌｌ)と２次セル(ｓｅｃｏｎｄａｒｙ ｃｅｌｌ)とに区分されることができる。１次セルは、１次周波数で動作し、初期連結確立過程を実行し、又は連結再確立過程を開始し、又はハンドオーバ過程で１次セルに指定されたセルである。１次セルは、基準セル(ｒｅｆｅｒｅｎｃｅ ｃｅｌｌ)とも呼ばれる。２次セルは、２次周波数で動作し、ＲＲＣ(Ｒａｄｉｏ Ｒｅｓｏｕｒｃｅ Ｃｏｎｔｒｏｌ)連結が確立された後に設定されることができ、追加的な無線リソースの提供に使われることができる。常に少なくとも一つの１次セルが設定され、２次セルは、上位階層シグナリング(例、ＲＲＣ(ｒａｄｉｏ ｒｅｓｏｕｒｃｅ ｃｏｎｔｒｏｌ)メッセージ)により追加/修正/解除されることができる。
【００１８】
１次セルのＣＩ(ｃｅｌｌｉｎｄｅｘ)は、固定されることができる。例えば、最も低いＣＩが１次セルのＣＩに指定されることができる。以下、１次セルのＣＩは０であり、２次セルのＣＩは１から順次に割り当てられると仮定する。
【００１９】
図１は、３ＧＰＰ ＬＴＥ−Ａにおけるダウンリンク無線フレームの構造を示す。これは３ＧＰＰ ＴＳ ３６.２１１ Ｖ１０.２.０(２０１１−０６)“Ｅｖｏｌｖｅｄ Ｕｎｉｖｅｒｓａｌ ＴｅｒｒｅｓｔｒｉａｌＲａｄｉｏ Ａｃｃｅｓｓ(Ｅ−ＵＴＲＡ)；Ｐｈｙｓｉｃａｌ Ｃｈａｎｎｅｌｓ ａｎｄ Ｍｏｄｕｌａｔｉｏｎ(Ｒｅｌｅａｓｅ １０)”の６節を参照することができる。
【００２０】
無線フレーム(ｒａｄｉｏ ｆｒａｍｅ)は、０〜９のインデックスが付けられた１０個のサブフレームを含む。一つのサブフレーム(ｓｕｂｆｒａｍｅ)は、２個の連続的なスロットを含む。一つのサブフレームの送信にかかる時間をＴＴＩ(ｔｒａｎｓｍｉｓｓｉｏｎ ｔｉｍｅ ｉｎｔｅｒｖａｌ)といい、例えば、一つのサブフレームの長さは１ｍｓであり、一つのスロットの長さは０.５ｍｓである。
【００２１】
一つのスロットは、時間領域で複数のＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)シンボルを含むことができる。ＯＦＤＭシンボルは、３ＧＰＰＬＴＥがダウンリンク(ｄｏｗｎｌｉｎｋ、ＤＬ)でＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)を使用するため、時間領域で一つのシンボル区間(ｓｙｍｂｏｌ ｐｅｒｉｏｄ)を表現するためのものに過ぎず、多重接続方式や名称に制限があるものではない。例えば、ＯＦＤＭシンボルは、ＳＣ−ＦＤＭＡ(ｓｉｎｇｌｅ ｃａｒｒｉｅｒ−ｆｒｅｑｕｅｎｃｙ ｄｉｖｉｓｉｏｎ ｍｕｌｔｉｐｌｅａｃｃｅｓｓ)シンボル、シンボル区間など、他の名称で呼ばれることもある。
【００２２】
一つのスロットは、７ＯＦＤＭシンボルを含むものを例示的に記述するが、ＣＰ(Ｃｙｃｌｉｃ Ｐｒｅｆｉｘ)の長さによって、一つのスロットに含まれるＯＦＤＭシンボルの数は変わることができる。３ＧＰＰ ＴＳ ３６.２１１ Ｖ１０.２.０によると、正規ＣＰにおいて、１スロットは７ＯＦＤＭシンボルを含み、拡張(ｅｘｔｅｎｄｅｄ)ＣＰにおいて、１スロットは６ＯＦＤＭシンボルを含む。
【００２３】
リソースブロック(ｒｅｓｏｕｒｃｅ ｂｌｏｃｋ、ＲＢ)は、リソース割当単位であり、一つのスロットで複数の副搬送波を含む。例えば、一つのスロットは、時間領域で７個のＯＦＤＭシンボルを含み、且つリソースブロックは、周波数領域で１２個の副搬送波を含む場合、一つのリソースブロックは、７×１２個のリソース要素(ｒｅｓｏｕｒｃｅ ｅｌｅｍｅｎｔ、ＲＥ)を含むことができる。
【００２４】
ＤＬ(ｄｏｗｎｌｉｎｋ)サブフレームは、時間領域で制御領域(ｃｏｎｔｒｏｌ ｒｅｇｉｏｎ)とデータ領域(ｄａｔａ ｒｅｇｉｏｎ)とに分けられる。制御領域は、サブフレーム内の１番目のスロットの前方部の最大４個のＯＦＤＭシンボルを含むが、制御領域に含まれるＯＦＤＭシンボルの個数は変わることができる。制御領域には、ＰＤＣＣＨ(Ｐｈｙｓｉｃａｌ Ｄｏｗｎｌｉｎｋ Ｃｏｎｔｒｏｌ Ｃｈａｎｎｅｌ)及び他の制御チャネルが割り当てられ、データ領域にはＰＤＳＣＨが割り当てられる。
【００２５】
３ＧＰＰ ＴＳ ３６.２１１ Ｖ１０.２.０に開示されているように、３ＧＰＰ ＬＴＥ/ＬＴＥ−Ａにおける物理制御チャネルは、ＰＤＣＣＨ(Ｐｈｙｓｉｃａｌ ＤｏｗｎｌｉｎｋＣｏｎｔｒｏｌ Ｃｈａｎｎｅｌ)、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、ＰＨＩＣＨ(ＰｈｙｓｉｃａｌＨｙｂｒｉｄ−ＡＲＱ Ｉｎｄｉｃａｔｏｒ Ｃｈａｎｎｅｌ)がある。
【００２６】
サブフレームの１番目のＯＦＤＭシンボルから送信されるＰＣＦＩＣＨは、サブフレーム内で制御チャネルの送信に使われるＯＦＤＭシンボルの数(即ち、制御領域の大きさ)に対するＣＦＩ(ｃｏｎｔｒｏｌ ｆｏｒｍａｔ ｉｎｄｉｃａｔｏｒ)を伝送する。無線機器は、まず、ＰＣＦＩＣＨ上にＣＦＩを受信した後、ＰＤＣＣＨをモニタリングする。
【００２７】
ＰＤＣＣＨと違って、ＰＣＦＩＣＨは、ブラインドデコーディングを使用せずに、サブフレームの固定されたＰＣＦＩＣＨリソースを介して送信される。
【００２８】
ＰＨＩＣＨは、アップリンクＨＡＲＱ(ｈｙｂｒｉｄ ａｕｔｏｍａｔｉｃ ｒｅｐｅａｔ ｒｅｑｕｅｓｔ)のためのＡＣＫ(ｐｏｓｉｔｉｖｅ−ａｃｋｎｏｗｌｅｄｇｅｍｅｎｔ)/ＮＡＣＫ(ｎｅｇａｔｉｖｅ−ａｃｋｎｏｗｌｅｄｇｅｍｅｎｔ)信号を伝送する。無線機器により送信されるＰＵＳＣＨ上のＵＬ(ｕｐｌｉｎｋ)データに対するＡＣＫ/ＮＡＣＫ信号は、ＰＨＩＣＨ上に送信される。
【００２９】
ＰＢＣＨ(ＰｈｙｓｉｃａｌＢｒｏａｄｃａｓｔ Ｃｈａｎｎｅｌ)は、無線フレームの１番目のサブフレームの２番目のスロットの前方部の４個のＯＦＤＭシンボルから送信される。ＰＢＣＨは、無線機器と基地局との通信に必須なシステム情報を伝送し、ＰＢＣＨを介して送信されるシステム情報をＭＩＢ(ｍａｓｔｅｒ ｉｎｆｏｒｍａｔｉｏｎ ｂｌｏｃｋ)という。これに対し、ＰＤＣＣＨにより指示されるＰＤＳＣＨ上に送信されるシステム情報をＳＩＢ(ｓｙｓｔｅｍ ｉｎｆｏｒｍａｔｉｏｎ ｂｌｏｃｋ)という。
【００３０】
ＰＤＣＣＨを介して送信される制御情報をダウンリンク制御情報(ｄｏｗｎｌｉｎｋ ｃｏｎｔｒｏｌ ｉｎｆｏｒｍａｔｉｏｎ、ＤＣＩ)という。ＤＣＩは、ＰＤＳＣＨのリソース割当(これをＤＬグラント(ｄｏｗｎｌｉｎｋ ｇｒａｎｔ)ともいう)、ＰＵＳＣＨのリソース割当(これをＵＬグラント(ｕｐｌｉｎｋ ｇｒａｎｔ)ともいう)、任意のＵＥグループ内の個別ＵＥに対する送信パワー制御命令の集合及び/又はＶｏＩＰ(Ｖｏｉｃｅ ｏｖｅｒ Ｉｎｔｅｒｎｅｔ Ｐｒｏｔｏｃｏｌ)の活性化を含むことができる。
【００３１】
３ＧＰＰ ＬＴＥ/ＬＴＥ−Ａにおいて、ＤＬ送信ブロックの送信は、ＰＤＣＣＨとＰＤＳＣＨとの対で実行される。ＵＬ送信ブロックの送信は、ＰＤＣＣＨとＰＵＳＣＨとの対で実行される。例えば、無線機器は、ＰＤＣＣＨにより指示されるＰＤＳＣＨ上にＤＬ送信ブロックを受信する。無線機器は、ＤＬサブフレームでＰＤＣＣＨをモニタリングし、ＤＬリソース割当をＰＤＣＣＨ上に受信する。無線機器は、前記ＤＬリソース割当が指示するＰＤＳＣＨ上にＤＬ送信ブロックを受信する。
【００３２】
図２は、ＰＤＣＣＨの構成を示すブロック図である。
【００３３】
３ＧＰＰ ＬＴＥ/ＬＴＥ−ＡではＰＤＣＣＨの検出のためにブラインドデコーディングを使用する。ブラインドデコーディングは、受信されるＰＤＣＣＨ(これを候補(ｃａｎｄｉｄａｔｅ)ＰＤＣＣＨという)のＣＲＣに所望の識別子をデマスキングし、ＣＲＣエラーをチェックすることによって、該当ＰＤＣＣＨが自分の制御チャネルかどうかを確認する方式である。
【００３４】
基地局は、無線機器に送るＤＣＩによってＰＤＣＣＨフォーマットを決定した後、ＤＣＩにＣＲＣ(Ｃｙｃｌｉｃ Ｒｅｄｕｎｄａｎｃｙ Ｃｈｅｃｋ)を付け、ＰＤＣＣＨのオーナ(ｏｗｎｅｒ)や用途によって、固有な識別子(これをＲＮＴＩ(Ｒａｄｉｏ ＮｅｔｗｏｒｋＴｅｍｐｏｒａｒｙ Ｉｄｅｎｔｉｆｉｅｒ)という)をＣＲＣにマスキングする(ブロック２１０)。
【００３５】
特定無線機器のためのＰＤＣＣＨの場合、無線機器の固有識別子、例えば、Ｃ−ＲＮＴＩ(Ｃｅｌｌ−ＲＮＴＩ)がＣＲＣにマスキングされることができる。または、ページングメッセージのためのＰＤＣＣＨの場合、ページング指示識別子、例えば、Ｐ−ＲＮＴＩ(Ｐａｇｉｎｇ−ＲＮＴＩ)がＣＲＣにマスキングされることができる。システム情報のためのＰＤＣＣＨの場合、システム情報識別子、ＳＩ−ＲＮＴＩ(ｓｙｓｔｅｍｉｎｆｏｒｍａｔｉｏｎ−ＲＮＴＩ)がＣＲＣにマスキングされることができる。ランダムアクセスプリアンブルの送信に対する応答であるランダムアクセス応答を指示するためにＲＡ−ＲＮＴＩ(ｒａｎｄｏｍ ａｃｃｅｓｓ−ＲＮＴＩ)がＣＲＣにマスキングされることができる。複数の無線機器に対するＴＰＣ(ｔｒａｎｓｍｉｔ ｐｏｗｅｒ ｃｏｎｔｒｏｌ)命令を指示するためにＴＰＣ−ＲＮＴＩがＣＲＣにマスキングされることができる。
【００３６】
Ｃ−ＲＮＴＩが使われると、ＰＤＣＣＨは、該当する特定無線機器のための制御情報(これを端末固有の(ＵＥ−ｓｐｅｃｉｆｉｃ)制御情報という)を伝送し、他のＲＮＴＩが使われると、ＰＤＣＣＨは、セル内の全て又は複数の無線機器が受信する共通(ｃｏｍｍｏｎ)制御情報を伝送する。
【００３７】
ＣＲＣが付加されたＤＣＩをエンコーディングして符号化されたデータ(ｃｏｄｅｄ ｄａｔａ)を生成する(ブロック２２０)。エンコーディングは、チャネルエンコーディングとレートマッチング(ｒａｔｅ ｍａｔｃｈｉｎｇ)を含む。
【００３８】
符号化されたデータは、変調されることで、変調シンボルが生成される(ブロック２３０)。
【００３９】
変調シンボルは、物理的なＲＥ(ｒｅｓｏｕｒｃｅ ｅｌｅｍｅｎｔ)にマッピングされる(ブロック２４０)。変調シンボルの各々は、ＲＥにマッピングされる。
【００４０】
サブフレーム内の制御領域は、複数のＣＣＥ(ｃｏｎｔｒｏｌ ｃｈａｎｎｅｌ ｅｌｅｍｅｎｔ)を含む。ＣＣＥは、無線チャネルの状態による符号化率をＰＤＣＣＨに提供するために使われる論理的割当単位であり、複数のＲＥＧ(ｒｅｓｏｕｒｃｅ ｅｌｅｍｅｎｔ ｇｒｏｕｐ)に対応される。ＲＥＧは、複数のリソース要素(ｒｅｓｏｕｒｃｅ ｅｌｅｍｅｎｔ)を含む。ＣＣＥの数とＣＣＥにより提供される符号化率の関係によってＰＤＣＣＨのフォーマット及び可能なＰＤＣＣＨのビット数が決定される。
【００４１】
一つのＲＥＧは、４個のＲＥを含み、一つのＣＣＥは、９個のＲＥＧを含む。一つのＰＤＣＣＨを構成するために{１,２,４,８}個のＣＣＥを使用することができ、{１,２,４,８}の各々の要素をＣＣＥ集約レベル(ａｇｇｒｅｇａｔｉｏｎ ｌｅｖｅｌ)という。
【００４２】
ＰＤＤＣＨの送信に使われるＣＣＥの個数は、基地局がチャネル状態によって決定する。例えば、良いダウンリンクチャネル状態を有する無線機器には一つのＣＣＥをＰＤＣＣＨ送信に使用することができる。悪い(ｐｏｏｒ)ダウンリンクチャネル状態を有する無線機器には８個のＣＣＥをＰＤＣＣＨ送信に使用することができる。
【００４３】
一つ又はそれ以上のＣＣＥで構成された制御チャネルは、ＲＥＧ単位のインターリービングを実行し、セルＩＤ(ｉｄｅｎｔｉｆｉｅｒ)に基づく循環シフト(ｃｙｃｌｉｃ ｓｈｉｆｔ)が実行された後に物理的リソースにマッピングされる。
【００４４】
図３は、ＰＤＣＣＨのモニタリングを示す例示図である。これは３ＧＰＰ ＴＳ ３６.２１３ Ｖ１０.２.０(２０１１−０６)の９節を参照することができる。
【００４５】
３ＧＰＰ ＬＴＥではＰＤＣＣＨの検出のためにブラインドデコーディングを使用する。ブラインドデコーディングは、受信されるＰＤＣＣＨ(これをＰＤＣＣＨ候補(ｃａｎｄｉｄａｔｅ)という)のＣＲＣに所望の識別子をデマスキングし、ＣＲＣエラーをチェックすることによって、該当ＰＤＣＣＨが自分の制御チャネルかどうかを確認する方式である。無線機器は、自分のＰＤＣＣＨが制御領域内でどの位置でどのようなＣＣＥ集約レベルやＤＣＩフォーマットを使用して送信されるかを知らない。
【００４６】
一つのサブフレーム内で複数のＰＤＣＣＨが送信されることができる。無線機器は、サブフレーム毎に複数のＰＤＣＣＨをモニタリングする。ここで、モニタリングとは、無線機器がモニタリングされるＰＤＣＣＨフォーマットによってＰＤＣＣＨのデコーディングを試みることを意味する。
【００４７】
３ＧＰＰ ＬＴＥでは、ブラインドデコーディングによる負担を減らすために、サーチスペース(ｓｅａｒｃｈ ｓｐａｃｅ)を使用する。サーチスペースは、ＰＤＣＣＨのためのＣＣＥのモニタリングセット(ｍｏｎｉｔｏｒｉｎｇ ｓｅｔ)を意味する。無線機器は、該当するサーチスペース内でＰＤＣＣＨをモニタリングする。
【００４８】
サーチスペースは、共通のサーチスペース(ｃｏｍｍｏｎ ｓｅａｒｃｈ ｓｐａｃｅ)と端末固有のサーチスペース(ＵＥ−ｓｐｅｃｉｆｉｃ ｓｅａｒｃｈ ｓｐａｃｅ)とに分けられる。共通のサーチスペースは、共通の制御情報を有するＰＤＣＣＨを検索する空間であり、ＣＣＥインデックス０〜１５の１６個のＣＣＥで構成され、{４,８}のＣＣＥ集約レベルを有するＰＤＣＣＨをサポートする。しかし、共通のサーチスペースにも端末固有の情報を伝送するＰＤＣＣＨ(ＤＣＩフォーマット０、１Ａ)が送信されることもできる。端末固有のサーチスペースは、{１,２,４,８}のＣＣＥ集約レベルを有するＰＤＣＣＨをサポートする。
【００４９】
以下の表１は、無線機器によりモニタリングされるＰＤＣＣＨ候補の個数を示す。
【００５０】
【表１】
0005836496.tif 000002
【００５１】
サーチスペースの大きさは、前記表１により決められ、サーチスペースの開始点は、共通のサーチスペースと端末固有のサーチスペースが異なるように定義される。共通のサーチスペースの開始点は、サブフレームに関係なしで固定されているが、端末固有のサーチスペースの開始点は、端末識別子(例えば、Ｃ−ＲＮＴＩ)、ＣＣＥ集約レベル及び/又は無線フレーム内のスロット番号によってサブフレーム毎に変わることができる。端末固有のサーチスペースの開始点が共通のサーチスペース内にある場合、端末固有のサーチスペースと共通のサーチスペースは、重なる(ｏｖｅｒｌａｐ)。
【００５２】
集約レベルＬ∈{１,２,４,８}において、サーチスペースＳ(Ｌ)ｋは、ＰＤＣＣＨ候補のセットで定義される。サーチスペースＳ(Ｌ)ｋのＰＤＣＣＨ候補ｍに対応するＣＣＥは、以下のように与えられる。
【００５３】
【数１】
0005836496.tif 000003
【００５４】
ここで、ｉ＝０,１,...,Ｌ−１、ｍ＝０,...,Ｍ(Ｌ)−１、ＮＣＣＥ,ｋは、サブフレームｋの制御領域内でＰＤＣＣＨの送信に使用することができるＣＣＥの全体個数である。制御領域は、０〜ＮＣＣＥ,ｋ−１でナンバリングされたＣＣＥのセットを含む。Ｍ(Ｌ)は，与えられたサーチスペースでのＣＣＥ集約レベルＬでＰＤＣＣＨ候補の個数である。
【００５５】
無線機器にＣＩＦ(ｃａｒｒｉｅｒｉｎｄｉｃａｔｏｒ ｆｉｅｌｄ)が設定された場合、ｍ′＝ｍ＋Ｍ(Ｌ)ｎｃｉｆである。ｎｃｉｆは、ＣＩＦの値である。無線機器にＣＩＦが設定されない場合、ｍ′＝ｍである。
【００５６】
共通のサーチスペースで、Ｙｋは、２個の集約レベル、Ｌ＝４及びＬ＝８に対して０にセッティングされる。
【００５７】
集約レベルＬの端末固有のサーチスペースで、変数Ｙｋは、以下のように定義される。
【００５８】
【数２】
0005836496.tif 000004
【００５９】
ここで、Ｙ−１＝ｎＲＮＴＩ≠０、Ａ＝３９８２７、Ｄ＝６５５３７、ｋ＝ｆｌｏｏｒ(ｎｓ/２)、ｎｓは、無線フレーム内のスロット番号(ｓｌｏｔ ｎｕｍｂｅｒ)である。
【００６０】
無線機器がＣ−ＲＮＴＩに基づいてＰＤＣＣＨをモニタリングする時、ＰＤＳＣＨの送信モード(ｔｒａｎｓｍｉｓｓｉｏｎ ｍｏｄｅ)によってモニタリングするＤＣＩフォーマットとサーチスペースが決定される。以下の表は、Ｃ−ＲＮＴＩが設定されたＰＤＣＣＨモニタリングの例を示す。
【００６１】
【表２】
0005836496.tif 000005
【００６２】
ＤＣＩフォーマットの用途は、以下の表のように区分される。
【００６３】
【表３】
0005836496.tif 000006
【００６４】
図４は、３ＧＰＰ ＬＴＥのＤＬサブフレームで基準信号と制御チャネルが配置される例を示す。
【００６５】
制御領域(又は、ＰＤＣＣＨ領域)は、前方部の３個のＯＦＤＭシンボルを含み、ＰＤＳＣＨが送信されるデータ領域は、残りのＯＦＤＭシンボルを含む。
【００６６】
制御領域内ではＰＣＦＩＣＨ、ＰＨＩＣＨ及び/又はＰＤＣＣＨが送信される。ＰＣＦＩＣＨのＣＦＩは、３個のＯＦＤＭシンボルを指示する。制御領域でＰＣＦＩＣＨ及び/又はＰＨＩＣＨが送信されるリソースを除外した領域がＰＤＣＣＨをモニタリングするＰＤＣＣＨ領域になる。
【００６７】
また、サブフレームには多様な基準信号(ｒｅｆｅｒｅｎｃｅ ｓｉｇｎａｌ)が送信される。
【００６８】
ＣＲＳ(ｃｅｌｌ−ｓｐｅｃｉｆｉｃｒｅｆｅｒｅｎｃｅ ｓｉｇｎａｌ)は、セル内の全ての無線機器が受信することができ、全ダウンリンク帯域にわたって送信される。図面において、‘Ｒ０’は、第１のアンテナポートに対するＣＲＳが送信されるＲＥ(ｒｅｓｏｕｒｃｅ ｅｌｅｍｅｎｔ)を示し、‘Ｒ１’は、第２のアンテナポートに対するＣＲＳが送信されるＲＥを示し、‘Ｒ２’は、第３のアンテナポートに対するＣＲＳが送信されるＲＥを示し、‘Ｒ３’は、第４のアンテナポートに対するＣＲＳが送信されるＲＥを示す。
【００６９】
ＣＲＳのためのＲＳシーケンスｒｌ,ｎｓ(ｍ)は、以下のように定義される。
【００７０】
【数３】
0005836496.tif 000007
【００７１】
ここで、ｍ＝０,１,...,２ＮｍａｘＲＢ−１、ＮｍａｘＲＢはＲＢの最大個数であり、ｎｓは無線フレーム内のスロット番号であり、ｌはスロット内のＯＦＤＭシンボル番号である。
【００７２】
疑似ランダムシーケンス(ｐｓｅｕｄｏ−ｒａｎｄｏｍ ｓｅｑｕｅｎｃｅ)ｃ(ｉ)は、以下のような長さ３１のゴールド(Ｇｏｌｄ)シーケンスにより定義される。
【００７３】
【数４】
0005836496.tif 000008
【００７４】
ここで、Ｎｃ＝１６００、１番目のｍ−シーケンスはｘ１(０)＝１、ｘ１(ｎ)＝０、ｍ＝１,２,...,３０で初期化される。
【００７５】
２番目のｍ−シーケンスは、各ＯＦＤＭシンボルの初めでｃｉｎｉｔ＝２１０(７(ｎｓ＋１)＋ｌ＋１)(２ＮｃｅｌｌＩＤ＋１)＋２ＮｃｅｌｌＩＤ＋ＮＣＰで初期化される。ＮｃｅｌｌＩＤは、セルのＰＣＩ(ｐｈｙｓｉｃａｌｃｅｌｌ ｉｄｅｎｔｉｔｙ)であり、正規ＣＰにおいて、ＮＣＰ＝１であり、拡張ＣＰにおいて、ＮＣＰ＝０である。
【００７６】
サブフレームにはＵＲＳ(ＵＥ−ｓｐｅｃｉｆｉｃ Ｒｅｆｅｒｅｎｃｅ Ｓｉｇｎａｌ)が送信される。ＣＲＳはサブフレームの全領域から送信されるが、ＵＲＳは、サブフレームのデータ領域内から送信され、対応するＰＤＳＣＨの復調に使われる。図面において、‘Ｒ５’は、ＵＲＳが送信されるＲＥを示す。ＵＲＳは、ＤＲＳ(ｄｅｄｉｃａｔｅｄ Ｒｅｆｅｒｅｎｃｅ Ｓｉｇｎａｌ)又はＤＭ−ＲＳ(ＤｅｍｏｄｕｌａｔｉｏｎＲｅｆｅｒｅｎｃｅ Ｓｉｇｎａｌ)とも呼ばれる。
【００７７】
ＵＲＳは、対応するＰＤＳＣＨがマッピングされるＲＢでのみ送信される。図面にはＰＤＳＣＨが送信される領域外にもＲ５が表示されているが、これはＵＲＳがマッピングされるＲＥの位置を示すためである。
【００７８】
ＵＲＳは、対応するＰＤＳＣＨを受信する無線機器のみが使用する。ＵＳのためのＲＳシーケンスｒｎｓ(ｍ)は、数式３と同じである。このとき、ｍ＝０,１,...,１２ＮＰＤＳＣＨ,ＲＢ−１であり、ＮＰＤＳＣＨ,ＲＢは、対応するＰＤＳＣＨ送信のＲＢ個数である。疑似ランダムシーケンス生成器は、各サブフレームの初めでｃｉｎｉｔ＝(ｆｌｏｏｒ(ｎｓ/２)＋１)(２ＮｃｅｌｌＩＤ＋１)２１６＋ｎＲＮＴＩで初期化される。ｎＲＮＴＩは、無線機器の識別子である。
【００７９】
前記は、ＵＲＳがシングルアンテナを介して送信される場合であり、ＵＲＳが多重アンテナを介して送信される時、疑似ランダムシーケンス生成器は、各サブフレームの初めでｃｉｎｉｔ＝(ｆｌｏｏｒ(ｎｓ/２)＋１)(２ＮｃｅｌｌＩＤ＋１)２１６＋ｎＳＣＩＤで初期化される。ｎＳＣＩＤは、ＰＤＳＣＨ送信と関連したＤＬグラント(例えば、ＤＣＩフォーマット２Ｂ又は２Ｃ)から得られるパラメータである。
【００８０】
ＵＲＳは、ＭＩＭＯ(Ｍｕｌｔｉｐｌｅ Ｉｎｐｕｔ Ｍｕｌｔｉｐｌｅ Ｏｕｐｕｔ)送信をサポートする。アンテナポート又は階層(ｌａｙｅｒ)によって、ＵＲＳのためのＲＳシーケンスは、以下のような拡散シーケンスに拡散されることができる。
【００８１】
【表４】
0005836496.tif 000009
【００８２】
階層(ｌａｙｅｒ)は、プリコーダで入力される情報経路(ｉｎｆｏｒｍａｔｉｏｎ ｐａｔｈ)で定義されることができる。ランク(ｒａｎｋ)は、ＭＩＭＯチャネル行列の零でない固有値(ｎｏｎ−ｚｅｒｏｅｉｇｅｎｖａｌｕｅ)の数であり、階層の個数又は空間ストリームの個数と同じである。階層は、ＵＲＳを区分するアンテナポート及び/又はＵＲＳに適用される拡散シーケンスに対応されることができる。
【００８３】
一方、ＰＤＣＣＨは、サブフレーム内の制御領域という限定された領域でモニタリングされ、また、ＰＤＣＣＨの復調のためには全帯域から送信されるＣＲＳが使われる。制御情報の種類が多様化し、制御情報の量が増加するにつれて、既存ＰＤＣＣＨのみではスケジューリングの柔軟性が落ちる。また、ＣＲＳ送信による負担を減らすために、ＥＰＤＣＣＨ(ｅｎｈａｎｃｅｄ ＰＤＣＣＨ)が導入されている。
【００８４】
図５は、ＥＰＤＣＣＨを有するサブフレームの一例である。
【００８５】
サブフレームは、零又は一つのＰＤＣＣＨ領域４１０及び零又はそれ以上のＥＰＤＣＣＨ領域４２０、４３０を含むことができる。
【００８６】
ＥＰＤＣＣＨ領域４２０、４３０は、無線機器がＥＰＤＣＣＨをモニタリングする領域である。ＰＤＣＣＨ領域４１０は、サブフレームの前方部の最大４個のＯＦＤＭシンボル内で位置するが、ＥＰＤＣＣＨ領域４２０、４３０は、ＰＤＣＣＨ領域４１０以後のＯＦＤＭシンボルで柔軟にスケジューリングされることができる。
【００８７】
無線機器に一つ以上のＥＰＤＣＣＨ領域４２０、４３０が指定され、無線機器は、指定されたＥＰＤＣＣＨ領域４２０、４３０でＥＰＤＣＣＨをモニタリングすることができる。
【００８８】
ＥＰＤＣＣＨ領域４２０、４３０の個数/位置/大きさ及び/又はＥＰＤＣＣＨをモニタリングするサブフレームに対する情報は、基地局が無線機器にＲＲＣメッセージ等を介して知らせることができる。
【００８９】
ＰＤＣＣＨ領域４１０では、ＣＲＳに基づいてＰＤＣＣＨを復調することができる。ＥＰＤＣＣＨ領域４２０、４３０では、ＥＰＤＣＣＨの復調のためにＣＲＳでないＤＭ(ｄｅｍｏｄｕｌａｔｉｏｎ)ＲＳを定義することができる。関連されたＤＭ ＲＳは、対応するＥＰＤＣＣＨ領域４２０、４３０から送信されることができる。
【００９０】
関連されたＤＭ ＲＳのためのＲＳシーケンスｒｎｓ(ｍ)は、数式３と同じである。このとき、ｍ＝０,１,...,１２ＮＲＢ−１であり、ＮＲＢは、最大ＲＢの個数である。疑似ランダムシーケンス生成器は、各サブフレームの初めでｃｉｎｉｔ＝(ｆｌｏｏｒ(ｎｓ/２)＋１)(２ＮＥＰＤＣＣＨ,ＩＤ＋１)２１６＋ｎＥＰＤＣＣＨ,ＳＣＩＤで初期化されることができる。ｎｓは無線フレーム内のスロット番号であり、ＮＥＰＤＣＣＨ,ＩＤは該当するＥＰＤＣＣＨ領域と関連したセルインデックスであり、ｎＥＰＤＣＣＨ,ＳＣＩＤは上位階層シグナリングから与えられるパラメータである。
【００９１】
各ＥＰＤＣＣＨ領域４２０、４３０は、互いに異なるセルのためのスケジューリングに使われることができる。例えば、ＥＰＤＣＣＨ領域４２０内のＥＰＤＣＣＨは、１次セルのためのスケジューリング情報を伝送し、ＥＰＤＣＣＨ領域４３０内のＥＰＤＣＣＨは、２次セルのためのスケジューリング情報を伝送することができる。
【００９２】
ＥＰＤＣＣＨ領域４２０、４３０でＥＰＤＣＣＨが多重アンテナを介して送信される時、ＥＰＤＣＣＨ領域４２０、４３０内のＤＭ ＲＳは、ＥＰＤＣＣＨと同じプリコーディングが適用されることができる。
【００９３】
ＰＤＣＣＨが送信リソース単位にＣＣＥを使用することと比較し、ＥＰＣＣＨのための送信リソース単位をＥＣＣＥ(Ｅｎｈａｎｃｅｄ Ｃｏｎｔｒｏｌ Ｃｈａｎｎｅｌ Ｅｌｅｍｅｎｔ)という。集約レベル(ａｇｇｒｅｇａｔｉｏｎｌｅｖｅｌ)は、ＥＰＤＣＣＨをモニタリングするリソース単位で定義されることができる。例えば、１ＥＣＣＥがＥＰＤＣＣＨのための最小リソースとする時、集約レベルＬ＝{１,２,４,８,１６}のように定義されることができる。
【００９４】
以下、ＥＰＤＤＣＨサーチスペース(ｓｅａｒｃｈ ｓｐａｃｅ)は、ＥＰＤＣＣＨ領域に対応されることができる。ＥＰＤＣＣＨサーチスペースでは一つ又はそれ以上の集約レベル毎に一つ又はそれ以上のＥＰＤＣＣＨ候補がモニタリングされることができる。
【００９５】
以下、ＥＰＤＣＣＨのためのリソース割当に対して記述する。
【００９６】
ＥＰＤＣＣＨは、一つ又はそれ以上のＥＣＣＥを利用して送信される。ＥＣＣＥは、複数のＥＲＥＧ(Ｅｎｈａｎｃｅｄ Ｒｅｓｏｕｒｃｅ Ｅｌｅｍｅｎｔ Ｇｒｏｕｐ)を含む。ＴＤＤ(ＴｉｍｅＤｉｖｉｓｉｏｎ Ｄｕｐｌｅｘ)ＤＬ−ＵＬ設定によるサブフレームタイプとＣＰによって、ＥＣＣＥは、４個のＥＲＥＧ又は８個のＥＲＥＧを含むことができる。例えば、正規ＣＰにおいて、ＥＣＣＥは４個のＥＲＥＧを含み、拡張ＣＰにおいて、ＥＣＣＥは８個のＥＲＥＧを含むことができる。
【００９７】
ＰＲＢ(ＰｈｙｓｉｃａｌＲｅｓｏｕｒｃｅ Ｂｌｏｃｋ)対(ｐａｉｒ)は、一つのサブフレームで同じＲＢ番号を有する２個のＰＲＢを意味する。ＰＲＢ対は、同じ周波数領域で１番目のスロットの第１のＰＲＢと２番目のスロットの第２のＰＲＢを意味する。正規ＣＰにおいて、ＰＲＢ対は、１２副搬送波と１４ＯＦＤＭシンボルを含み、したがって、１６８ＲＥ(ｒｅｓｏｕｒｃｅ ｅｌｅｍｅｎｔ)を含む。
【００９８】
ＥＰＤＣＣＨサーチスペースは、一つ又は複数のＰＲＢ対で設定されることができる。一つのＰＲＢ対は、１６個のＥＲＥＧを含む。したがって、ＥＣＣＥが４個のＥＲＥＧを含む場合、ＰＲＢ対は４個のＥＣＣＥを含み、ＥＣＣＥが８個のＥＲＥＧを含む場合、ＰＲＢ対は２個のＥＣＣＥを含む。
【００９９】
図６は、本発明の一実施例に係るＰＲＢ対の構造を示す。ＰＲＢグループは、４個のＰＲＢ対を含んでいるが、その個数に制限があるものてはない。
【０１００】
図６の(Ａ)は、ＥＣＣＥが４個のＥＲＥＧを含む時、ＥＲＥＧセット(ｓｅｔ)を示す。図６の(Ｂ)は、ＥＣＣＥが８個のＥＲＥＧを含む時、ＥＲＥＧセットを示す。
【０１０１】
以下、別途に表示しない限り、ＥＣＣＥが４個のＥＲＥＧを含むと仮定する。
【０１０２】
ＥＰＤＣＣＨは、局所送信(ｌｏｃａｌｉｚｅｄ ｔｒａｎｓｍｉｓｓｉｏｎ)と分散送信(ｄｉｓｔｒｉｂｕｔｅｄ ｔｒａｎｓｍｉｓｓｉｏｎ)をサポートする。局所送信において、一つのＥＣＣＥを構成するＥＲＥＧは、一つのＰＲＢ対から送信される。分散送信において、一つのＥＣＣＥを構成するＥＲＥＧは、複数のＰＲＢ対から送信される。
【０１０３】
図７は、局所送信と分散送信の例を示す。図７の(Ａ)は、局所送信によるＥＣＣＥ−ｔｏ−ＥＲＥＧマッピングの一例を示す。局所ＥＣＣＥは、局所送信に使われるＥＣＣＥを意味する。図７の(Ｂ)は、分散送信によるＥＥＣＣＥ−ｔｏ−ＥＲＥＧマッピングの一例を示す。分散ＥＣＣＥは、分散送信に使われるＥＣＣＥを意味する。
【０１０４】
ＥＲＥＧセットは、局所ＥＣＣＥ又は分散ＥＣＣＥの構成に使われるＥＲＥＧのセットを意味する。即ち、ＥＣＣＥは、同じＥＲＥＧセットに属するＥＲＥＧを含んでいるということができる。
【０１０５】
ＥＲＥＧセットは、サブセット(ｓｕｂｓｅｔ)の概念に一般化することができる。サブセットは、ＰＲＢ対で一つ又はそれ以上のＥＲＥＧ(又は、一つ又はそれ以上のＲＥ)を含むことができる。
【０１０６】
図８は、サブセットの一例を示す。図８の(Ａ)は、ＰＲＢ対が４個のサブセットを含むことを示し、図８の(Ｂ)は、ＰＲＢが４個のサブセットを含むことを示す。１番目のスロットのＰＲＢはサブセット１、２、３、４を含み、２番目のスロットのＰＲＢはサブセットＡ、Ｂ、Ｃ、Ｄを含む。
【０１０７】
図８の(Ａ)のサブセットを図６の(Ａ)のＥＲＥＧセットに対比すると、一つのサブセットはＥＲＥＧセットに対応され、また、一つのＥＣＣＥに対応される。集約レベルＬ＝１(即ち、一つのＥＣＣＥでＥＰＤＣＣＨ候補がモニタリング)を仮定すると、一つのＰＲＢ対に４個のＥＰＤＣＣＨ候補がモニタリングされる。
【０１０８】
以下、別途に表示しない限り、サブセットはＰＲＢ対に含まれると仮定する。
【０１０９】
もし、多重階層を使用する場合、サポートされるＤＭ ＲＳのアンテナポート数によって、ＥＰＤＣＣＨの数は変わることができる。例えば、４個のサブセット(Ｓ＝４)、４個のアンテナポート(Ｐ＝４)があり、４個の階層(ｌａｙｅｒ)をサポートすることができると仮定する。この場合、ＤＭ ＲＳの直交性を考慮すると、４個の無線機器が空間多重化されることができる。例えば、無線機器１はアンテナポート１を使用し、無線機器２はアンテナポート２を使用すると仮定する。基地局は、無線機器１にアンテナポート１を指示し、４個のサブセットのうち１個に集約レベルＬ＝１のＥＰＤＣＣＨを送信する。無線機器１は、アンテナポート１に該当する４個のサブセットの各々に対してブラインドデコーディングを実行してＥＰＤＣＣＨを検出する。
【０１１０】
図９は、無線機器が各サブセットでブラインドデコーディングを実行する一例を示す。
【０１１１】
基地局は、無線機器にＥＰＤＣＣＨをモニタリングするアンテナポート及び/又は階層に対する情報を知らせることができる。
【０１１２】
４個のサブセットと４個のアンテナポートがあり、集約レベルＬ＝１の場合、全ての階層にわたって総１６個のＥＣＣＥが使用可能である。無線リソースを効率的に利用するために、無線機器グループ単位に階層/アンテナポートを設定することができる。例えば、４個の無線機器が、チャネル特性が類似の近接領域に存在して同じビームを形成し、又は同じプリコーディングを適用することができる場合、一つのアンテナポートを共有することができる。４個の無線機器に対する４ＥＰＤＣＣＨは、同じ階層に存在する４個のサブセットから送信されることができる。このような方式にアンテナポートを共有すると、１６ＥＣＣＥを介して１６ＥＰＤＣＣＨを一つのＰＲＢ対に送信することができるという長所がある。
【０１１３】
下記は、サブセット数Ｓ、アンテナポート数Ｐの場合に対して、各無線機器にアンテナポートとサブセットを割り当てる例を示す。基地局は、アンテナポートを各無線機器に知らせ、無線機器とアンテナポートは１：１マッピングされると仮定する。無線機器(ｗｉｒｅｌｅｓｓ ｄｅｖｉｃｅ、ＷＤ)は、該当する集約レベルＬでサブセットに対してブラインドデコーディングを実行する。したがって、全体サブセットは、ＥＰＤＣＣＨサーチスペースに対応されると見ることができる。
【０１１４】
例題１)Ｓ＝２、Ｐ＝４、Ｌ＝１
ＷＤ１＝アンテナポート１＋サブセット１又は２
ＷＤ２＝アンテナポート２＋サブセット１又は２
ＷＤ３＝アンテナポート３＋サブセット１又は２
ＷＤ４＝アンテナポート４＋サブセット１又は２
【０１１５】
例題２)Ｓ＝３、Ｐ＝４、Ｌ＝１又は２
ＷＤ１＝アンテナポート１＋３個のサブセットのうち１個(Ｌ＝１)又は２個(Ｌ＝２)
ＷＤ２＝アンテナポート２＋３個のサブセットのうち１個(Ｌ＝１)又は２個(Ｌ＝２)
ＷＤ３＝アンテナポート３＋３個のサブセットのうち１個(Ｌ＝１)又は２個(Ｌ＝２)
ＷＤ４＝アンテナポート４＋３個のサブセットのうち１個(Ｌ＝１)又は２個(Ｌ＝２)
【０１１６】
例題３)Ｓ＝４、Ｐ＝４、Ｌ＝１、２又は４
ＷＤ１＝アンテナポート１＋４個のサブセットのうち１個(Ｌ＝１)又は２個(Ｌ＝２)又は４個(Ｌ＝４)
ＷＤ２＝アンテナポート２＋４個のサブセットのうち１個(Ｌ＝１)又は２個(Ｌ＝２)又は４個(Ｌ＝４)
ＷＤ３＝アンテナポート３＋４個のサブセットのうち１個(Ｌ＝１)又は２個(Ｌ＝２)又は４個(Ｌ＝４)
ＷＤ４＝アンテナポート４＋４個のサブセットのうち１個(Ｌ＝１)又は２個(Ｌ＝２)又は４個(Ｌ＝４)
【０１１７】
図１０は、ブラインドデコーディングの一例を示す。Ｓ＝４、Ｐ＝４であり、前記例題３を図面で示す。
【０１１８】
無線機器１(ＷＤ１)は、アンテナポート１、Ｌ＝１、サブセット２で自分のＥＰＤＣＣＨを受信し、無線機器２(ＷＤ２)は、アンテナポート２、Ｌ＝２、サブセット２及び３で自分のＥＰＤＣＣＨを受信し、無線機器３(ＷＤ３)は、アンテナポート３、Ｌ＝４、サブセット１〜４で自分のＥＰＤＣＣＨを受信し、無線機器４(ＷＤ４)は、アンテナポート４、Ｌ＝２、サブセット２及び４で自分のＥＰＤＣＣＨを受信することを示す。
【０１１９】
下記の例題４は、ＤＭ ＲＳを２個の無線機器が共有する場合、アンテナポート及びサブセット割当の例を示す。ＤＭ ＲＳを共有すると、一つのアンテナポートに２個の無線機器が割り当てられることができる。ここで、ＷＤ１及びＷＤ５、ＷＤ２及びＷＤ６、ＷＤ３及びＷＤ７、ＷＤ４及びＷＤ８が各々ＤＭ ＲＳを共有すると仮定する。
【０１２０】
例題４)Ｓ＝２、Ｐ＝４、Ｌ＝１
ＷＤ１＝アンテナポート１＋サブセット１又は２
ＷＤ５＝アンテナポート１＋サブセット１又は２
ＷＤ２＝アンテナポート２＋サブセット１又は２
ＷＤ６＝アンテナポート２＋サブセット１又は２
ＷＤ３＝アンテナポート３＋サブセット１又は２
ＷＤ７＝アンテナポート３＋サブセット１又は２
ＷＤ４＝アンテナポート４＋サブセット１又は２
ＷＤ８＝アンテナポート４＋サブセット１又は２
【０１２１】
無線機器は、事前に決められたアンテナポートを使用し、決められた位置のＰＲＢ対でＥＰＤＣＣＨをモニタリングする。複数の無線機器にアンテナポート及び/又はサブセットを適切に設定することによって、柔軟なＥＰＤＣＣＨモニタリングが可能である。
【０１２２】
図１１は、２個の無線機器のＥＰＤＣＣＨモニタリングの例を示す。
【０１２３】
図１１の(Ａ)によると、２個の無線機器(ＷＤ１、ＷＤ２)は、互いに異なるアンテナポートで、互いに異なるサブセットで、ＥＰＤＣＣＨを受信する。ＷＤ１は、アンテナポート１のサブセットＡでＥＰＤＣＣＨを受信し、ＷＤ２は、アンテナポート２のサブセットＢでＥＰＤＣＣＨを受信する。
【０１２４】
基地局は、各無線機器に最適のビーム形成を実行することができ、各無線機器は、互いに直交するリソースを介してＥＰＤＤＣＨを受信する。
【０１２５】
図１１の(Ｂ)によると、２個の無線機器(ＷＤ１、ＷＤ２)は、同じアンテナポートで、互いに異なるサブセットで、ＥＰＤＣＣＨを受信する。ＷＤ１は、アンテナポート１のサブセットＡでＥＰＤＣＣＨを受信し、ＷＤ２は、アンテナポート１のサブセットＢでＥＰＤＣＣＨを受信する。ＤＭ ＲＳをＷＤ１とＷＤ２が共有することで、ＲＳオーバーヘッドを減らすことができる。
【０１２６】
図１１の(Ｃ)によると、２個の無線機器(ＷＤ１、ＷＤ２)は、互いに異なるアンテナポートで、同じサブセットで、ＥＰＤＣＣＨを受信する。ＷＤ１は、アンテナポート１のサブセットＡでＥＰＤＣＣＨを受信し、ＷＤ２は、アンテナポート２のサブセットＡでＥＰＤＣＣＨを受信する。
【０１２７】
基地局は、Ｅ−ＰＤＣＣＨをＭＵＭＩＭＯで送信する形態になる。各無線機器は、プリコーディングにより分離されることができ、使われるサブセットの数を減らすことができるという長所がある。
【０１２８】
以下、集約レベルＬがＬ＝１より高い大きさ(例、Ｌ＝２、４、８、１６)にサポートされる場合に対して説明する。
【０１２９】
例えば、サブセットの数Ｓ＝２、アンテナポートの数Ｐ＝４を仮定する場合、アンテナポートインデックス、サブセットインデックス、ＰＲＢインデックスの組合せを利用して無線機器に固有のリソース領域を割り当てることができる。以下、可能な組合せを例示する。
【０１３０】
ｉ)同じアンテナポートに複数のサブセットを局所送信又は分散送信の形態で割当
【０１３１】
ｉｉ)互いに異なるアンテナポートに同じサブセットを局所送信又は分散送信の形態で割当
【０１３２】
ｉｉｉ)互いに異なるアンテナポートに互いに異なるサブセットを局所送信又は分散送信の形態で割当
【０１３３】
図１２及び図１３は、互いに異なるアンテナポートに互いに異なるサブセットを利用して集約レベルを構成する例である。図１２は、Ｌ＝１、２、４の場合であり、図１３は、Ｌ＝８の場合である。
【０１３４】
前記提案技術は、ＦＤＭ(Ｆｒｅｑｕｅｎｃｙ Ｄｉｖｉｓｉｏｎ Ｍｕｌｔｉｐｌｅｘｉｎｇ)ベースのサブセットパーティション(ｓｕｂｓｅｔ ｐａｒｔｉｔｉｏｎｉｎｇ)を例示的に記述し、ＯＦＤＭシンボル単位のＴＤＭ(Ｔｉｍｅ Ｄｉｖｉｓｉｏｎ Ｍｕｌｔｉｐｌｅｘｉｎｇ)ベースのサブセットパーティションにもそのまま適用することができる。
【０１３５】
下記の例題５は、アンテナポート、ＰＲＢ対(又は、ＰＲＢ)、サブセット組合せで集約レベルを構成する例である。４個のＰＲＢ対(ＰＲＢ１、ＰＲＢ２、ＰＲＢ３、ＰＲＢ４)を考慮するが、ＰＲＢ対の個数は、例示に過ぎない。
【０１３６】
例題５)Ｓ＝４、Ｐ＝４
ＷＤ１のＬ＝４：ＰＲＢ１のサブセット１、ＰＲＢ１のサブセット１、ＰＲＢ３のサブセット１、ＰＲＢ４のサブセット１
ＷＤ２のＬ＝４：ＰＲＢ１のサブセット２、ＰＲＢ２のサブセット２、ＰＲＢ３のサブセット２、ＰＲＢ４のサブセット２
ＷＤ３のＬ＝４：ＰＲＢ１のサブセット３、ＰＲＢ２のサブセット３、ＰＲＢ３のサブセット３、ＰＲＢ４のサブセット３
ＷＤ４のＬ＝４：ＰＲＢ１のサブセット４、ＰＲＢ２のサブセット４、ＰＲＢ３のサブセット４、ＰＲＢ４のサブセット４
【０１３７】
図１４は、集約レベルを構成する例を示す。
【０１３８】
同じアンテナポートで、(ＰＲＢ１のサブセット１、ＰＲＢ１のサブセット１、ＰＲＢ３のサブセット１、ＰＲＢ４のサブセット１)で集約レベルＬ＝４であるＥＰＤＣＣＨを構成し、又は互いに異なるアンテナポートで、(ＰＲＢ１のサブセット１、ＰＲＢ２のサブセット２、ＰＲＢ３のサブセット３、ＰＲＢ４のサブセット４)で集約レベルＬ＝４であるＥＰＤＣＣＨを構成する例を示す。
【０１３９】
以下、サーチスペース内で集約レベルによるＥＰＤＣＣＨ候補の位置を構成する方法に対して記述する。
【０１４０】
図１５は、ＰＲＢ対に構成されるサブセットを示す。
【０１４１】
Ｋ個のＰＲＢ対(ＰＲＢ１,...,ＰＲＢ_Ｋ)があり、各ＰＲＢ対当たり４個のサブセットを含む。
【０１４２】
図１６は、図１５のサブセットに論理的インデックスを付与した例である。Ｋ個のＰＲＢ対に４Ｋ個のサブセットがあるため、０から４Ｋ−１まで順次に論理的インデックスを付与することができる。
【０１４３】
図１７は、図１６の論理的インデックスに循環シフトを適用した例である。各ＰＲＢ対内のサブセットに対する論理的インデックスを２ずつ循環シフトした。
【０１４４】
各ＰＲＢ毎に同じ循環シフトオフセットが適用されているが、これは例示に過ぎない。各ＰＲＢ毎に互いに異なる循環シフトオフセットが適用されることもできる。循環シフトオフセットに対する情報は、基地局が無線機器にＲＲＣメッセージ等を介して送信することができる。
【０１４５】
図１８は、局所送信が設定された場合、集約レベルを構成する方法の一例を示す。
【０１４６】
Ｌ＝４の場合、インデックス０、１、２、３を有するサブセット又はインデックス４、５、６、７を有するサブセットでＥＰＤＣＣＨ候補を構成することができる。Ｌ＝８の場合、インデックス０〜７を有するサブセットでＥＰＤＣＣＨ候補を構成することができる。
【０１４７】
局所送信が設定された場合、連続的なインデックスを有するサブセットの集合で集約レベルを構成することができる。
【０１４８】
集約レベルＬで、ｎ番目のＥＰＤＣＣＨ候補のためのサブセットの開始は、インデックスＬ＊(ｎ−１)(ｎ＝１,２,...)を有するサブセットである。または、オフセット‘ａ’が定義されると、ｎ番目のＥＰＤＣＣＨ候補のためのサブセットの開始は、インデックスＬ＊(ｎ−１)＋ａを有するサブセットである。
【０１４９】
図１９は、分散送信が設定された場合、集約レベルを構成する方法の一例を示す。
【０１５０】
Ｌ＝２の場合、ＰＲＢ１のインデックス２に対応するサブセットとＰＲＢ２のインデックス６に対応するサブセットとでＥＰＤＣＣＨ候補を構成することができる。Ｌ＝４の場合、ＰＲＢ１のインデックス１に対応するサブセット、ＰＲＢ２のインデックス５に対応するサブセット、ＰＲＢ３のインデックス９に対応するサブセット、ＰＲＢ４のインデックス１３に対応するサブセットでＥＰＤＣＣＨ候補を構成することができる。
【０１５１】
分散送信が設定された場合、互いに異なるＰＲＢ対に属するサブセットで集約レベルを構成することができる。
【０１５２】
図２０は、図１６の論理的インデックスに循環シフトを適用した他の例である。これはＰＲＢ対別に論理的インデックスの循環シフトが適用されるものを示す。
【０１５３】
ＰＲＢ１に対して循環シフトオフセット２が適用され、ＰＲＢ２に対して循環シフトオフセット３が適用され、ＰＲＢ３に対して循環シフトオフセット０が適用され、ＰＲＢ４に対して循環シフトオフセット１が適用されるものを例示的に示す。
【０１５４】
循環シフトオフセットは、基地局が無線機器に知らせることができる。または、循環シフトオフセットは、ＰＲＢ対インデックス(又は、ＰＲＢインデックス)に基づいて決定されることができる。図２０は、循環シフトオフセットを(ＰＲＢ対インデックス＋１)ｍｏｄ４のように決定した例である。
【０１５５】
図２１は、図１６の論理的インデックスに循環シフトを適用した他の例である。これはＰＲＢ対のグループ別に論理的インデックスの循環シフトが適用されるものを示す。
【０１５６】
グループ１がＰＲＢ１とＰＲＢ２を含み、グループ２がＰＲＢ３とＰＲＢ４を含むとする時、グループ１に属するＰＲＢ対に対して循環シフトオフセット２が適用され、グループ２に属するＰＲＢ対に対して循環シフトオフセット１が適用されるものを例示的に示す。
【０１５７】
グループ別の循環シフトオフセットは、基地局が無線機器に知らせることができる。グループ別の循環シフトオフセットは、グループインデックス、ＰＲＢ対インデックス、ＰＲＢインデックスのうち少なくともいずれか一つに基づいて決定されることができる。
【０１５８】
図２２は、図２０の論理的インデックスに基づいて局所送信が設定された場合、集約レベルを構成する方法の一例を示す。
【０１５９】
図２３は、図２１の論理的インデックスに基づいて局所送信が設定された場合、集約レベルを構成する方法の一例を示す。
【０１６０】
図２４は、図２０の論理的インデックスに基づいて分散送信が設定された場合、集約レベルを構成する方法の一例を示す。
【０１６１】
図２５は、図２１の論理的インデックスに基づいて分散送信が設定された場合、集約レベルを構成する方法の一例を示す。
【０１６２】
図２６は、図２０の論理的インデックスに基づいて分散送信が設定された場合、集約レベルを構成する方法の他の例を示す。
【０１６３】
Ｌ＝{０,４,８}の場合、開始点は、インデックス０を有するサブセットであると仮定する。
【０１６４】
Ｌ＝２の場合、サブセットインデックス{０,４}が選択される。Ｌ＝４の場合、サブセットインデックス{０,４,８,１２}が選択される。Ｌ＝８の場合、サブセットインデックス{０,４,８,１２,２,６,１０,１４}が選択される。
【０１６５】
ＰＲＢグループがＰＲＢ１、ＰＲＢ２、ＰＲＢ３、ＰＲＢ４を有する場合、サブセットインデックス{０,４,８,１２}と{２,６,１０,１４}の２個のグループに分けられる。このとき、Ｌ＝８は、サブセットインデックス{０,２,４,６,８,１０,１２,１４}のように選択されることもできる。
【０１６６】
図２７は、図２１の論理的インデックスに基づいて分散送信が設定された場合、集約レベルを構成する方法の他の例を示す。
【０１６７】
図２８は、分散送信が設定された場合、集約レベルを構成する方法の他の例を示す。
【０１６８】
Ｌ＝１の場合、無線機器は、インデックス０、４、８、１２に該当する４個のサブセットの各々に対して順次にＥＰＤＣＣＨ候補をモニタリングすることができる。
【０１６９】
Ｌ＝２の場合、無線機器は、{０,８}、{２,１０}、{４,１２}、{８,１４}の４個のサブセットグループに対して順次にＥＰＤＣＣＨ候補をモニタリングすることができる。
【０１７０】
Ｌ＝４の場合、無線機器は、{０,４,８,１２}、{２,６,１０,１４}の２個のサブセットグループに対して順次にＥＰＤＣＣＨ候補をモニタリングすることができる。
【０１７１】
Ｌ＝８の場合、無線機器は、{０,４,８,１２,２,６,１０,１４}の１個のサブセットグループに対してＥＰＤＣＣＨ候補をモニタリングすることができる。
【０１７２】
前記例題において、集約レベルの大きさ及び個数、集約レベルに該当するサブセットインデックスは、例示に過ぎない。
【０１７３】
一つのサブセットが一つのＥＣＣＥに対応されると仮定すると、一つのＰＲＢ対は、４個のＥＣＣＥを含んでいるということができる。図２２乃至図２８の実施例によると、分散送信が設定された場合、４個のＥＣＣＥインデックス単位に集約レベルを構成するためのＥＣＣＥを選択した。これによって、Ｌ＝４の場合、インデックス{０,４,８,１２}を有するＥＣＣＥが集約レベルを構成する。
【０１７４】
無線機器は、一つのＰＲＢ対で複数のＥＰＤＣＣＨを検出することができるようにすることが要求されることができる。例えば、インデックス０であるＥＣＣＥとインデックス２であるＥＣＣＥで各々ＥＰＤＣＣＨを検出することができる。そのために、集約レベルを構成するインデックス間の間隔を設定することができる。例えば、ＥＣＣＥ間隔が４の場合、１番目のインデックス０と次のインデックス４が選択され、互いに異なるＰＲＢ対にＥＰＤＣＣＨ候補が存在するが、ＥＣＣＥ間隔が２の場合、１番目のインデックス０と次のインデックス２が選択され、一つのＰＲＢ対にＥＰＤＣＣＨ候補が２個存在できる。したがって、基地局は、インデックス０であるＥＣＣＥを利用してＵＬグラントを送り、インデックス２であるＥＣＣＥを利用してＤＬグラントを送ることができる。
【０１７５】
より大きいダイバーシティ利得を得るためには、ＥＣＣＥ間隔が一つのＰＲＢ対に含まれるＥＣＣＥの個数より大きいことが好ましい。
【０１７６】
集約レベル毎に異なるＥＣＣＥ間隔が設定されることができる。例えば、Ｌ＝１の場合、ＥＣＣＥ間隔が４に設定され、Ｌ＝２、４、８の場合、ＥＣＣＥ間隔が２に設定されることができる。Ｌに基づいてＥＣＣＥ間隔が決定されることができる。
【０１７７】
図２８の実施例によると、Ｌ＝２の場合、無線機器は、{０,８}、{２,１０}、{４,１２}、{８,１４}の４個のＥＣＣＥグループに対して順次にＥＰＤＣＣＨ候補をモニタリングすることができる。即ち、ＥＣＣＥインデックスは、０、２、４、６の順序に大きくなり、０、４、２、６のようにダイバーシティ利得を高める方向に再構成することができる。
【０１７８】
図２８では、偶数インデックスに基づいて集約レベルを構成しているが、奇数インデックス(例、１、５、９、１２等)に基づいて集約レベルを構成することができる。または、奇数インデックスと偶数インデックスの組合せ(例、０、２、５、９等)で集約レベルを構成することもできる。
【０１７９】
図２９は、局所送信が設定された場合、集約レベルを構成する方法の例を示す。
【０１８０】
Ｌ＝１の場合、無線機器は、インデックス０、４、８、１２に該当する４個のサブセットの各々に対して順次にＥＰＤＣＣＨ候補をモニタリングすることができる。
【０１８１】
Ｌ＝２の場合、無線機器は、{０,１}、{４,５}、{８,９}、{１２,１３}の４個のサブセットグループに対して順次にＥＰＤＣＣＨ候補をモニタリングすることができる。
【０１８２】
Ｌ＝４の場合、無線機器は、{０,１,２,３}、{４,５,６,７}、{８,９,１０,１１}、{１２,１３,１４,１５}の４個のサブセットグループに対して順次にＥＰＤＣＣＨ候補をモニタリングすることができる。
【０１８３】
Ｌ＝８の場合、無線機器は、{０,１,２,３,４,５,６,７}、{８,９,１０,１１,１２,１３,１４,１５}の２個のサブセットグループに対してＥＰＤＣＣＨ候補をモニタリングすることができる。
【０１８４】
無線機器は、ＥＰＤＣＣＨサーチスペースのためのＮ ＰＲＢ対及び/又は局所送信/分散送信可否に対する情報を基地局から受信することができる。そして、ＥＣＣＥ−ｔｏ−ＲＥマッピングのためのオフセットに対する情報を基地局から受信することができる。前記オフセットは、前述した図１７、図２０又は図２１の実施例に示す循環シフトオフセットに対応されることができる。オフセットは、ＰＲＢ対内に含まれるサブセット(又は、ＥＣＣＥ)の個数に依存することができる。
【０１８５】
図３０は、ＥＰＤＣＣＨサーチスペースの開始点を設定する一例を示す。
【０１８６】
ＥＰＤＣＣＨサーチスペースの開始点は、４の倍数に該当するインデックス(４Ａ、４Ｂ、４Ｃ、４Ｄ、…)であり、又は８の倍数に該当するインデックス(８Ａ、８Ｂ)である。
【０１８７】
図３１は、分散割当(ｄｉｓｔｒｉｂｕｔｅｄ ａｌｌｏｃａｔｉｏｎ)の一例を示す。これは図３０のインデックス０から４Ｎ−１が１：１にＥＣＣＥにマッピングされると仮定する。ＥＣＣＥインデックスが周波数優先的にマッピングされる。
【０１８８】
Ｌ＝１の場合、インデックス０であるＥＣＣＥにＥＰＤＣＣＨがマッピングされる。Ｌ＝２の場合、インデックス０及び１であるＥＣＣＥにＥＰＤＣＣＨがマッピングされる。Ｌ＝４の場合、インデックス０、１、２、３であるＥＣＣＥにＥＰＤＣＣＨがマッピングされる。Ｌ＝８の場合、少なくとも８個のＰＲＢ対にわたってＥＰＤＣＣＨがマッピングされることができる。しかし、集約レベルの大きさが大きくなるにつれて、割り当てられるＰＲＢ対の個数が多くなるが、該当するＥＣＣＥを除外した残りのＥＣＣＥは、ＰＤＳＣＨとして使用することができない。したがって、Ｌ＝８の場合、一つのＰＲＢ対に２個のＥＣＣＥずつ総４つのＰＲＢ対にＥＰＤＣＣＨがマッピングされるようにすることができる。即ち、インデックス０、１、２、３、２Ｎ、２Ｎ＋１、２Ｎ＋２、２Ｎ＋３であるＥＣＣＥにＥＰＤＣＣＨがマッピングされることができる。‘２Ｎ’は、予め指定され、又は基地局が無線機器に知らせることができる。
【０１８９】
図３２は、局所割当(ｌｏｃａｌｉｚｅｄ ａｌｌｏｃａｔｉｏｎ)の一例を示す。これは図３０のインデックス０から４Ｎ−１が１：１にＥＣＣＥにマッピングされると仮定する。ＥＣＣＥインデックスが時間優先的にマッピングされる。各ＰＲＢ対は、連続的なインデックスを有するＥＣＣＥを含む。
【０１９０】
Ｌ＝１、２、３の場合、一つのＰＲＢ対にＥＰＤＣＣＨがマッピングされることができる。Ｌ＝８の場合、２個のＰＲＢ対にＥＰＤＣＣＨがマッピングされることができる。
【０１９１】
前記実施例では、集約レベルを構成する単位をサブセット又はＥＣＣＥであると仮定しているが、これは例示に過ぎない。Ｌ＝１が２個のＥＣＣＥを含むこともできる。同様に、Ｌ＝２が４個のＣＣＥを含むこともできる。
【０１９２】
ＥＣＣＥは、４個のＥＲＥＧ又は８個のＥＲＥＧを含むことができる。例えば、正規ＣＰにおいて、ＥＣＣＥは４個のＥＲＥＧを含み、拡張ＣＰにおいて、ＥＣＣＥは８個のＥＲＥＧを含むことができる。ＥＰＤＣＣＨサーチスペースを構成するために、各ＰＲＢ対内のＥＣＣＥからどのように集約レベルに構成するか又は開始点を指定するかは、前記提案された方法が適用されることができる。
【０１９３】
一つの単一ＰＲＢ対内のＥＲＥＧから構成される局所ＥＣＣＥと複数のＰＲＢ対内のＥＲＥＧから構成される分散ＥＣＣＥがある。局所ＥＣＣＥを構成するＥＲＥＧインデックスと分散ＥＣＣＥを構成するＥＲＥＧインデックスの共通性を保障するために、互いに異なるＢ対に位置するＫ個の局所ＥＣＣＥを再分配してＫ個の分散ＥＣＣＥを構成することができる。
【０１９４】
図３３は、局所ＥＣＣＥから分散ＥＣＣＥを構成する一例を示す。
【０１９５】
ＰＲＢ対＃ｍは、８個のＲＥセット(ＲＥセットＡ、Ｂ、Ｃ、Ｄ、Ｅ、Ｆ、Ｇ)を含み、ＰＲＢ対＃ｎは、８個のＲＥセット(ＲＥセットＡ、Ｂ、Ｃ、Ｄ、Ｅ、Ｆ、Ｇ)を含むと仮定する。
【０１９６】
Ｋ＝２とする時、ＰＲＢ対＃ｍのＲＥセットＡとＥを結合して局所ＥＣＣＥ＃ａを形成し、ＰＲＢ対＃ｎのＲＥセットＡとＥを結合して局所ＥＣＣＥ＃ｂを形成する。
【０１９７】
分散ＥＣＣＥを形成する時には、局所ＥＣＣＥを構成する４個のＲＥｓｅｔを再組合せる。ＰＲＢ対＃ｍのＲＥセットＡとＰＲＢ対＃ｎのＲＥセットＥを結合し、分散ＥＣＣＥ＃ａを形成し、ＰＲＢ対＃ｍのＲＥセットＥとＰＲＢ対＃ｎのＲＥセットＡを結合し、分散ＥＣＣＥ＃ｂを形成することができる。
【０１９８】
Ｋ個の分散ＥＣＣＥのインデックスは、対応するＫ個の局所ＥＣＣＥのインデックスと１：１に対応されることができる。したがって、分散ＥＣＣＥが複数のＰＲＢ対にわたって送信されても、局所ＥＣＣＥと共存し、ＥＣＣＥインデックスを付与することができる。
【０１９９】
図３４は、本発明の実施例が具現される無線通信システムを示すブロック図である。
【０２００】
基地局５０は、プロセッサ(ｐｒｏｃｅｓｓｏｒ)５１、メモリ(ｍｅｍｏｒｙ)５２及びＲＦ部(ＲＦ(ｒａｄｉｏ ｆｒｅｑｕｅｎｃｙ)ｕｎｉｔ)５３を含む。メモリ５２は、プロセッサ５１と連結され、プロセッサ５１を駆動するための多様な情報を格納する。ＲＦ部５３は、プロセッサ５１と連結され、無線信号を送信及び/又は受信する。プロセッサ５１は、提案された機能、過程及び/又は方法を具現する。プロセッサ５１は、一つ又はそれ以上のＰＲＢ対にＥＰＤＣＣＨサーチスペースを設定し、ＥＰＤＣＣＨを送信することができる。
【０２０１】
無線機器６０は、プロセッサ６１、メモリ６２及びＲＦ部６３を含む。メモリ６２は、プロセッサ６１と連結され、プロセッサ６１を駆動するための多様な情報を格納する。ＲＦ部６３は、プロセッサ６１と連結され、無線信号を送信及び/又は受信する。プロセッサ６１は、提案された機能、過程及び/又は方法を具現する。プロセッサ６１は、ＥＰＤＣＣＨサーチスペースでＥＰＤＣＣＨをモニタリングすることができる。
【０２０２】
プロセッサは、ＡＳＩＣ(ａｐｐｌｉｃａｔｉｏｎ−ｓｐｅｃｉｆｉｃ ｉｎｔｅｇｒａｔｅｄ ｃｉｒｃｕｉｔ)、他のチップセット、論理回路及び/又はデータ処理装置を含むことができる。メモリは、ＲＯＭ(ｒｅａｄ−ｏｎｌｙ ｍｅｍｏｒｙ)、ＲＡＭ(ｒａｎｄｏｍ ａｃｃｅｓｓ ｍｅｍｏｒｙ)、フラッシュメモリ、メモリカード、格納媒体及び/又は他の格納装置を含むことができる。ＲＦ部は、無線信号を処理するためのベースバンド回路を含むことができる。実施例がソフトウェアで具現される時、前述した技法は、前述した機能を遂行するモジュール(過程、機能など)で具現されることができる。モジュールは、メモリに格納され、プロセッサにより実行されることができる。メモリは、プロセッサの内部又は外部にあり、よく知られた多様な手段によりプロセッサと連結されることができる。
【０２０３】
前述した例示的なシステムにおいて、方法は、一連のステップ又はブロックでフローチャートに基づいて説明されているが、本発明は、ステップの順序に限定されるものではなく、あるステップは、前述と異なるステップと、異なる順序に又は同時に発生することができる。また、当業者であれば、フローチャートに示すステップが排他的ではなく、他のステップが含まれ、又はフローチャートの一つ又はそれ以上のステップが本発明の範囲に影響を及ぼさずに削除可能であること理解することができる。
【図１６】
0005836496.tif 000010
【図１７】
0005836496.tif 000011
【図２０】
0005836496.tif 000012
【図２１】
0005836496.tif 000013
【図３０】
0005836496.tif 000014
【図３１】
0005836496.tif 000015
【図３２】
0005836496.tif 000016
【図１】
0005836496.tif 000017
【図２】
0005836496.tif 000018
【図３】
0005836496.tif 000019
【図４】
0005836496.tif 000020
【図５】
0005836496.tif 000021
【図６】
0005836496.tif 000022
【図７】
0005836496.tif 000023
【図８】
0005836496.tif 000024
【図９】
0005836496.tif 000025
【図１０】
0005836496.tif 000026
【図１１】
0005836496.tif 000027
【図１２】
0005836496.tif 000028
【図１３】
0005836496.tif 000029
【図１４】
0005836496.tif 000030
【図１５】
0005836496.tif 000031
【図１８】
0005836496.tif 000032
【図１９】
0005836496.tif 000033
【図２２】
0005836496.tif 000034
【図２３】
0005836496.tif 000035
【図２４】
0005836496.tif 000036
【図２５】
0005836496.tif 000037
【図２６】
0005836496.tif 000038
【図２７】
0005836496.tif 000039
【図２８】
0005836496.tif 000040
【図２９】
0005836496.tif 000041
【図３３】
0005836496.tif 000042
【図３４】
0005836496.tif 000043